(57)【特許請求の範囲】
【請求項１】
複数段に積層可能なサブハウジングと、
前記サブハウジングに設けられ、端子金具を内部に収容可能なキャビティと、
前記各サブハウジングの合わせ面における一方側の面に開口して設けられ、前記キャビティ内部と連通するリテーナ挿入口と、
同他方側の面に突出して設けられ、前記各サブハウジングを積層させるに伴って前記リテーナ挿入口を通じて前記キャビティ内部に進入しそのキャビティ内部に収容された前記端子金具に係止してその端子金具を抜止状態に保持するリテーナとを備え、
複数段に積層された前記サブハウジングが相手側ハウジングと嵌合状態に至ることで前記端子金具と前記相手側ハウジングに設けられた相手側端子金具とが導通可能に接続されるジョイントコネクタであって、
前記リテーナには対向する前記リテーナ挿入口の開口縁との間を詰めて正規に積層された前記サブハウジングが前記合わせ面の面方向に沿って積層ずれすることを規制するリブが設けられ、
このリブは前記リテーナの付け根に形成され、当該リテーナが前記リテーナ挿入口に挿入されるのに伴って前記リブが前記リテーナ挿入口の開口縁に接触し、その接触前の状態では前記リテーナとこれと対向する前記リテーナ挿入口の開口縁の間に所定のクリアランスが全周に亘って設定されており、
かつ前記リブは、前記リテーナの挿入方向に沿って延びる断面略三角形の柱状をなし、その延出端の角部には、前記リテーナ挿入口の開口縁に摺接することで前記サブハウジングを正規位置に案内するテーパ状案内面が形成されるとともに、このテーパ状案内面から前記リブの挿入方向の後方に連なって延びる部分には、前記リテーナ挿入口の開口縁と当接した状態となることで前記サブハウジングを前記正規位置に保持する直線状の保持部が形成されていることを特徴とするジョイントコネクタ。
【請求項２】
複数段に積層された前記サブハウジングのうち前記積層方向における一端側に位置する前記サブハウジングは、前記相手側ハウジングに設けられたロック部と係止することで前記嵌合状態に保持するロックアームを備えている請求項１に記載のジョイントコネクタ。
【発明の詳細な説明】
【技術分野】
【０００１】
本発明は、サブハウジングを複数段に積層させてなるジョイントコネクタに関する。
【背景技術】
【０００２】
この種のジョイントコネクタとしては、例えば下記特許文献１に記載のジョイントコネクタが知られている。このジョイントコネクタは、各段の側面に当接部と当接受部とを設けておき、ジョイントコネクタを構成する各サブハウジングが正規に積層された場合には、当接部と当接受部とが正規の組付け位置で当接して複数のサブハウジングが互いに整合して組み付けられるようになっている。また、サブハウジングには端子金具を内部に収容可能なキャビティが設けられている。
【特許文献１】特許第３４３３７９７号公報
【発明の開示】
【発明が解決しようとする課題】
【０００３】
ところで、端子金具をキャビティ内部に保持する構成としては、例えば各サブハウジングの合わせ面における一方側の面にキャビティ内部と連通するリテーナ挿入口を設け、同他方側の面にリテーナ挿入口を通じてキャビティ内部に進入するリテーナを設けておき、サブハウジングの積層に伴ってリテーナをリテーナ挿入口を通じてキャビティ内部に進入させそのキャビティ内部に収容された端子金具に係止させる方法が考えられる。
このような方法において、サブハウジングの積層時における嵌合力の低減を目的としてリテーナ挿入口の開口縁とリテーナとの間に所定のクリアランスが設定されていると、積層されたサブハウジングがクリアランスの設定範囲内で合わせ面の面方向に沿って積層ずれすることを許容してしまう。
【０００４】
例えば、図２６に示すように、積層されたサブハウジングのうち最下段のサブハウジング１００のみを相手側ハウジング２００に向けて押し込んで嵌合動作を行うと、下段側から上段側にかけて徐々に嵌合方向後方（図示左側）に積層ずれし、最上段のサブハウジング１０１に至っては、正規の嵌合位置に到達する前に嵌合動作が終了する事態が起き得る。さらに、最上段のサブハウジング１０１にロックアーム１０２が設けられている場合には、ロックアーム１０２のロック突部１０３がロック孔２０１に嵌らないでロックがかからなくなるおそれもある。
本発明は上記のような事情に基づいて完成されたものであって、端子金具をキャビティ内部に保持しつつサブハウジングの積層ずれを防ぐことを目的とする。
【課題を解決するための手段】
【０００５】
本発明は、複数段に積層可能なサブハウジングと、前記サブハウジングに設けられ、端子金具を内部に収容可能なキャビティと、前記各サブハウジングの合わせ面における一方側の面に開口して設けられ、前記キャビティ内部と連通するリテーナ挿入口と、同他方側の面に突出して設けられ、前記各サブハウジングを積層させるに伴って前記リテーナ挿入口を通じて前記キャビティ内部に進入しそのキャビティ内部に収容された前記端子金具に係止してその端子金具を抜止状態に保持するリテーナとを備え、複数段に積層された前記サブハウジングが相手側ハウジングと嵌合状態に至ることで前記端子金具と前記相手側ハウジングに設けられた相手側端子金具とが導通可能に接続されるジョイントコネクタであって、前記リテーナには対向する前記リテーナ挿入口の開口縁との間を詰めて正規に積層された前記サブハウジングが前記合わせ面の面方向に沿って積層ずれすることを規制するリブが設けられ、このリブは前記リテーナの付け根に形成され、当該リテーナが前記リテーナ挿入口に挿入されるのに伴って前記リブが前記リテーナ挿入口の開口縁に接触し、その接触前の状態では前記リテーナとこれと対向する前記リテーナ挿入口の開口縁の間に所定のクリアランスが全周に亘って設定されており、かつ前記リブは、前記リテーナの挿入方向に沿って延びる断面略三角形の柱状をなし、その延出端の角部には、前記リテーナ挿入口の開口縁に摺接することで前記サブハウジングを正規位置に案内するテーパ状案内面が形成されるとともに、このテーパ状案内面から前記リブの挿入方向の後方に連なって延びる部分には、前記リテーナ挿入口の開口縁と当接した状態となることで前記サブハウジングを前記正規位置に保持する直線状の保持部が形成されている構成としたところに特徴を有する。
【０００６】
このような構成によると、各サブハウジングを積層させることで、リテーナがリテーナ挿入口を通じてキャビティ内部に進入し、そのキャビティ内部に収容された端子金具に係止してその端子金具をキャビティ内部に保持することができる。次に、積層されたサブハウジングを相手側ハウジングに向けて嵌合させる際には、リテーナに設けられたリブが対向するリテーナ挿入口の開口縁との間を詰めることで、各サブハウジングがその合わせ面の面方向に沿って積層ずれすることを規制することができる。例えば、最下段のサブハウジングのみを相手側ハウジングに向けて押し込んで嵌合動作を行っても、最上段のサブハウジングが正規の嵌合位置に到達する前に嵌合動作が終了してしまうおそれがない。
リブはリテーナの付け根に形成されていて、リテーナがリテーナ挿入口に挿入されてその終盤に至って初めてリブがリテーナ挿入口の開口縁に接触し、その接触前の状態ではリテーナ挿入口の開口縁の間に所定のクリアランスが設定されるようになっているから、サブハウジングの積層時の嵌合操作力が小さくて済む。
さらにリブは、断面略三角形の柱状をなして、延出端の角部にテーパ状案内面が、それに続く後方に直線状の保持部が形成された構造となっているから、テーパ状案内面によってサブハウジングを正規位置に案内することができるとともに、この案内動作に引き続いて保持部によりサブハウジングを正規位置に保持することができる。
【０００７】
本発明の実施の態様として、以下の構成が好ましい。
複数段に積層されたサブハウジングのうち積層方向における一端側に位置するサブハウジングは、相手側ハウジングに設けられたロック部と係止することで嵌合状態に保持するロックアームを備えている構成としてもよい。このような構成によると、ロックアームをロック部に係止させることで積層されたサブハウジングと相手側ハウジングとを正規嵌合状態に保持することができる。例えば、最上段のサブハウジングにロックアームが設けられているような場合に、最下段のサブハウジングのみを相手側ハウジングに向けて押し込んで嵌合動作を行っても、ロックアームがロック部に係止しないまま嵌合動作が終了してしまうおそれがない。
【発明の効果】
【００１０】
本発明によれば、端子金具をキャビティ内部に保持しつつサブハウジングの積層ずれを防ぐことができる。
【発明を実施するための最良の形態】
【００１１】
＜実施形態＞
本発明の実施形態について図面を参照しながら説明する。
＜全体構成＞
本実施形態におけるジョイントコネクタ１０は、図１に示すように、中継コネクタ２０の後述する嵌合凹部２２に対して嵌合可能に設けられている。中継コネクタ２０の内部には、ワイヤハーネスＷに接続された端子金具４０が収容されており、中継コネクタ２０の両側に２つのジョイントコネクタ１０を嵌合すると、中継コネクタ２０の内部に設けられた中継端子（本発明の「相手側端子金具」の一例）２４と端子金具４０とが導通可能に接続されることで、２つのジョイントコネクタ１０に連なるワイヤハーネスＷ同士が電気的に接続される。ここで、前後方向とは、ジョイントコネクタ１０と中継コネクタ２０との嵌合方向を基準として互いの嵌合面側を前方とする。
【００１２】
ジョイントコネクタ１０の後部には、ジョイントコネクタ１０を中継コネクタ２０に嵌合させる際に押し込まれる手押し部１３が形成されている。この手押し部１３は幅方向両側に張り出す態様で一対設けられ、図２に示すように、両コネクタ１０，２０が正規に嵌合した状態では中継コネクタ２０の嵌合凹部２２の開口縁と対面するように設定されている。
【００１３】
＜ジョイントコネクタの構成＞
ジョイントコネクタ１０は合成樹脂製の積層ハウジング１１を有し、この積層ハウジング１１は６種類のサブハウジングＳ１，Ｓ２，Ｓ３，Ｓ４，Ｓ５，Ｓ６（以下「各サブハウジングＳ１〜Ｓ６」といい、略してサブハウジングＳという場合もある）を積層することにより構成されている。これらのサブハウジングＳは、正規に積層された状態において上段側から順に、第１サブハウジングＳ１、第２サブハウジングＳ２、第３サブハウジングＳ３、第４サブハウジングＳ４、第５サブハウジングＳ５、第６サブハウジングＳ６とされている。ここで、上下方向とは、各サブハウジングＳの積層方向を基準として第１サブハウジングＳ１側を上方とする。
【００１４】
各サブハウジングＳは、図６に示すように、板状をなす本体部３０と、本体部３０の後部において幅方向両側に突出する突片３１とを備えている。第２サブハウジングＳ２〜第６サブハウジングＳ６の本体部３０は、前後方向に貫通し、幅方向に並んで配置された３つのキャビティ３２をそれぞれ備えており、これらのキャビティ３２の内部には、後方から端子金具４０を収容可能である。キャビティ３２内の側壁には、ランス３３が幅方向に撓み可能に形成されており、ランス３３が端子金具４０に幅方向から係止することで端子金具４０をキャビティ３２内に抜止状態に保持可能である。
【００１５】
第２サブハウジングＳ２〜第６サブハウジングＳ６の上面には、３つのキャビティ３２に共通のリテーナ挿入口３４が一括して貫通形成されている。３つのキャビティ３２は、リテーナ挿入口３４を通じてキャビティ３２の外部に連通している。一方、第１サブハウジングＳ１〜第５サブハウジングＳ５の下面には、各サブハウジングＳが正規に積層された場合にリテーナ挿入口３４を通じて３つのキャビティ３２内部にそれぞれ進入する３つのリテーナ３５が突出して設けられている。リテーナ３５は、キャビティ３２内部において正規の挿入位置に挿入された端子金具４０の箱部後端に係止することで、端子金具４０をキャビティ３２内部に抜止状態に保持可能である。すなわち、端子金具４０は、ランス３３による係止と共にリテーナ３５による係止によって二重で抜止状態に保持される。
【００１６】
第１サブハウジングＳ１には、両コネクタ１０，２０を正規嵌合状態に保持するロックアーム１２が設けられている。ロックアーム１２は、第１サブハウジングＳ１の上面前端から上方に立ち上がる基端部１２Ａと、この基端部１２Ａから後方に延びる片持ち状をなし、上下に撓み可能なアーム部１２Ｂとを備えている。アーム部１２Ｂの後端には、ロックアーム１２の解除操作を行うための解除操作部１２Ｃが設けられている。また、アーム部１２Ｂにおいて解除操作部１２Ｃのやや前方には、上方に突出する形態のロック突部１２Ｄが形成されている。
【００１７】
手押し部１３は、図７に示すように、各サブハウジングＳの各突片３１を密接した状態で積層することにより構成されている。各突片３１の合わせ面における下面には識別突部Ａがそれぞれ下方に突出して設けられ、同上面にはこの識別突部Ａを内部に受け入れ可能な識別凹部Ｂがそれぞれ設けられている。これらの識別突部Ａ及び識別凹部Ｂは、各サブハウジングＳが正規に積層された状態では、各サブハウジングＳの積層方向に並んで配置されている。このため、各識別突部Ａの間隔及び各識別凹部Ｂの間隔はいずれも同一となっている。
【００１８】
各サブハウジングＳの各識別突部Ａ及び各識別凹部Ｂの詳細な構成についてはその説明を省略するものの、図１０ないし図１９に示すように、各識別突部Ａは略Ｌ字状の断面形状をなし、各識別凹部Ｂは各識別突部Ａの断面形状と適合する孔形状をなし、各サブハウジングＳが正規に積層されたときにのみ、対応する各識別突部Ａをそれぞれ受け入れ可能である。尚、各識別突部Ａは、図６に示すように、上段側から順に、第１識別突部Ａ１、第２識別突部Ａ２、第３識別突部Ａ３、第４識別突部Ａ４、第５識別突部Ａ５とされている。また、各識別凹部Ｂも各識別突部Ａと同様に、上段側から順に、第１識別凹部Ｂ１、第２識別凹部Ｂ２、第３識別凹部Ｂ３、第４識別凹部Ｂ４、第５識別凹部Ｂ５とされている。
【００１９】
本体部３０の幅方向両側には、一対のガイド片３６が幅方向に張り出し形成されている。このガイド片３６は、中継ハウジング２１の嵌合凹部２２の内周面における幅方向両側に形成されたガイド溝２７にスライド挿入されるように構成され、両ハウジング１０，２０の嵌合動作を案内可能である。尚、ガイド片３６の前縁には、各サブハウジングＳの積層前における検査工程でサブハウジングＳの種類を識別するための切り欠き３６Ａが形成されている。この検査工程では、各端子金具４０に連なるワイヤハーネスＷが正しく接続されているか否かを検査することができると共に、切り欠き３６Ａをプローブ（図示せず）で検知することによりワイヤハーネスＷに接続された端子金具４０が正しいサブハウジングＳに収容されているか否かを検査することができる。
【００２０】
ガイド片３６の上面には、本体部３０の上面よりも上方に突出する４つの撓み係止片３７が設けられている。４つの撓み係止片３７は、幅方向に対向しつつ前後方向に所定の間隔を空けて配置されている。各撓み係止片３７の突出端には、内側に突出する係止爪３７Ａが設けられ、撓み係止片３７は、係止爪３７Ａ側が幅方向に変位可能に設けられている。一方、第１サブハウジングＳ１〜第５サブハウジングＳ５において各ガイド片３６の下方には、図８に示すように、撓み係止片３７の係止爪３７Ａと係止して上下に隣り合う本体部３０同士を積層状態に保持可能な被係止部３８が形成されている。
【００２１】
＜中継コネクタの構成＞
中継コネクタ２０は合成樹脂製の中継ハウジング（本発明の「相手側ハウジング」の一例）２１を有し、この中継ハウジング２１は前方と後方に開口する一対の嵌合凹部２２を備えている。中継ハウジング２１の内部には、両嵌合凹部２２間を仕切る中間壁２３が形成されている。この中間壁２３には、中継端子２４が一方の嵌合凹部２２から他方の嵌合凹部２２に向けて圧入されることにより固定されている。中継端子２４は、図５に示すように、幅方向に所定間隔を空けて３つ配置されている。また、中継端子２４は、図３に示すように、第２サブハウジングＳ２〜第６サブハウジングＳ６の各端子金具４０に対応して上下方向に５つのタブ状端子が配置されており、上下に隣り合う各タブ状端子は、互いに連結されて一体となっている。
【００２２】
中継ハウジング２１の上面には、嵌合凹部２２の内外を貫通する一対のロック孔（本発明の「ロック部」の一例）２５が設けられている。このロック孔２５は、嵌合凹部２２の内部にジョイントコネクタ１０を嵌合させるに伴って嵌合凹部２２の内部からロック突部１２Ｄが嵌り込むようになっている。ロック突部１２Ｄは、ロック孔２５の内周面に係止することで正規嵌合した両コネクタ１０，２０を抜止状態に保持可能である。尚、中継ハウジング２１の側面には、機器側に固定された取り付けステー（図示せず）に取り付け固定するための固定部２６が設けられている。
【００２３】
＜各サブハウジングの積層ずれ防止構造＞
ところで、リテーナ挿入口３４の開口縁及びこれと対向するリテーナ３５の外周壁の間には、各サブハウジングＳを積層する際の嵌合力を低下させるために所定のクリアランスが全周に亘って設定されている。しかしながら、このクリアランスを設けると、各サブハウジングＳは、各サブハウジングＳの合わせ面の面方向に沿って積層ずれしてしまうため、リテーナ３５の前面側における付け根には、図２０ないし図２４に示すように、前後方向における前記クリアランスを詰めて各サブハウジングＳが前後方向に積層ずれすることを規制するリブ３５Ａが設けられている。
【００２４】
リブ３５Ａは、各サブハウジングＳで同じ構成であるため第１サブハウジングＳ１を例にとって説明すると、図２０に示すように、上下方向に延びる断面略三角の柱状をなし、その下端角部が斜め前方に削られている。詳細には、リブ３５Ａの下端側には、斜め前方かつ上方に向かうテーパ状案内面３５Ｂが設けられ、そのテーパ状案内面３５Ｂの前端（上端）から上方に連なって延びる部分は、規制部３５Ｃとなっている。テーパ状案内面３５Ｂは、各サブハウジングＳの積層時にリテーナ挿入口３４の開口縁における前縁に摺接することで、各サブハウジングＳを正規位置に案内可能である。また、規制部３５Ｃは、テーパ状案内面３５Ｂによる案内動作に引き続いてリテーナ挿入口３４の開口縁における前縁に当接した状態となることで各サブハウジングＳを正規位置に保持可能である。
【００２５】
尚、本実施形態では第１サブハウジングＳ１〜第５サブハウジングＳ５にリブ３５Ａを設けて、第２サブハウジングＳ２〜第６サブハウジングＳ６にリテーナ挿入口３４を設けているものの、第２サブハウジングＳ２〜第６サブハウジングＳ６にリブ３５Ａを設けて、第１サブハウジングＳ１〜第５サブハウジングＳ５にリテーナ挿入口３４を設けてもよい。さらに、本実施形態では前後方向における積層ずれを規制しているものの、幅方向における積層ずれを規制することも当然可能である。
【００２６】
＜本実施形態の作用＞
本実施形態は以上のような構成であって、続いてその作用を説明する。
まず、ワイヤハーネスＷに接続された端子金具４０をキャビティ３２内部に挿入する。全ての端子金具４０の挿入が完了すると、サブハウジングＳの積層を行う。例えば第１サブハウジングＳ１と第２サブハウジングＳ２を積層させる場合には、各第１識別突部Ａ１が各第１識別凹部Ｂ１の内部に収容されることで、両サブハウジングＳ１、Ｓ２の積層が許容される。
【００２７】
このとき、第１サブハウジングＳ１のリテーナ３５が第２サブハウジングＳ２のリテーナ挿入口３４を通じてキャビティ３２内部に進入する。リテーナ挿入口３４の開口縁とこれに対向するリテーナ３５の外周壁との間には所定のクリアランスが設定されているため、積層作業時における嵌合力が軽減される。そして、リブ３５Ａのテーパ状案内面３５Ｂがリテーナ挿入口３４の開口縁と摺接することで各サブハウジングＳが正規位置に案内される。引き続き、リブ３５Ａの保持部３５Ｃがリテーナ挿入口３４の開口縁と当接した状態となることで各サブハウジングＳが正規位置に保持される。
【００２８】
これらの動作と並行して、撓み係止片３７を幅方向外側に撓ませつつ係止爪３７Ａが被係止部３８を乗り越えると共に撓み係止片３７が弾性復帰することで係止爪３７Ａと被係止部３８とが係止し、各サブハウジングＳが積層状態に保持される。こうして、各サブハウジングＳを正規に積層することでジョイントコネクタ１０が構成されると、ジョイントコネクタ１０を中継コネクタ２０の嵌合凹部２２に挿入する。
【００２９】
このとき、各ガイド片３６が各ガイド溝２７内に挿入されることで両コネクタ１０，２０の嵌合動作が案内される。さらに、ロックアーム１２を下方に撓ませつつロック突部１２Ｄが嵌合凹部２２の内部からロック孔２５内に嵌り込むと共にロックアーム１２が弾性復帰してロック突部１２Ｄとロック孔２５の内周面とが係止する。これにより、ジョイントコネクタ１０と中継コネクタ２０とが抜止状態に保持され、ジョイントコネクタ１０の端子金具４０と中継コネクタ２０の中継端子２４とが導通可能に接続される。反対側のジョイントコネクタ１０についても、上記同様に積層作業及び嵌合作業を行うことで、両ジョイントコネクタ１０の端子金具４０に連なるワイヤハーネスＷ同士が電気的に接続される。
【００３０】
以上のように本実施形態では、以下の効果を奏することができる。
１．端子金具４０の抜止を行うリテーナ３５を利用して、このリテーナ３５にリブ３５Ａを設けることで各サブハウジングＳの積層ずれを規制することができる。例えば第６サブハウジングＳ６のみを中継コネクタ２０に向けて押し込んで嵌合動作を行っても、各サブハウジングＳの積層ずれが規制されているため、第１サブハウジングＳ１のロックアーク１２が正規の嵌合位置に至る前に嵌合動作が終了してしまい、ロック突部１２Ｄがロック孔２５に嵌らないまま放置される事態を防ぐことができる。
【００３１】
２．リブ３５がリテーナ挿入口３４の開口縁と接触する前においては、リテーナ挿入口３４の開口縁及びこれと対向するリテーナ３５の外周壁の間に所定のクリアランスが設定されているから、各サブハウジングＳを積層する際の嵌合力を軽減することができる。
【００３２】
３．各サブハウジングＳの積層時にリブ３５のテーパ状案内面３５Ｂがリテーナ挿入口３４の開口縁に摺接することで、各サブハウジングＳを正規位置に案内することができる。また、この案内動作に引き続いてリブ３５の保持部３５Ｃがリテーナ挿入口３４の開口縁に当接した状態となることで各サブハウジングＳを正規位置に保持することができる。
【００３３】
＜他の実施形態＞
本発明は上記記述及び図面によって説明した実施形態に限定されるものではなく、例えば次のような実施形態も本発明の技術的範囲に含まれる。
【００３４】
（１）本実施形態ではリブ３５ＡがサブハウジングＳと一体に設けられているものの、本発明によると、リブ３５ＡはサブハウジングＳと別体に設けてもよい。
【図面の簡単な説明】
【００３７】
【図１】実施形態１においてジョイントコネクタと中継コネクタとの嵌合前の状態を示した斜視図
【図２】そのジョイントコネクタと中継コネクタとの嵌合後の状態を示した斜視図
【図３】そのジョイントコネクタと中継コネクタとの嵌合後の状態を示した縦断面図
【図４】その中継コネクタの正面図
【図５】その中継コネクタの横断面図
【図６】その各サブコネクタの積層前の状態を示した斜視図
【図７】その各サブコネクタの積層後の状態を示した斜視図
【図８】その各サブコネクタの積層前の状態を示した正面図
【図９】その各サブコネクタの積層前の状態を示した背面図
【図１０】その第１サブハウジングの底面図
【図１１】その第２サブハウジングの平面図
【図１２】その第２サブハウジングの底面図
【図１３】その第３サブハウジングの平面図
【図１４】その第３サブハウジングの底面図
【図１５】その第４サブハウジングの平面図
【図１６】その第４サブハウジングの底面図
【図１７】その第５サブハウジングの平面図
【図１８】その第５サブハウジングの底面図
【図１９】その第６サブハウジングの平面図
【図２０】その第１サブハウジングの正面図
【図２１】その第２サブハウジングの正面図
【図２２】その第３サブハウジングの正面図
【図２３】その第４サブハウジングの正面図
【図２４】その第５サブハウジングの正面図
【図２５】その第６サブハウジングの正面図
【図２６】各サブハウジングが積層ずれした状態を示した図
【符号の説明】
【００３８】
１０…ジョイントコネクタ
１２…ロックアーム
２１…中継ハウジング（相手側ハウジング）
２４…中継端子（相手側端子金具）
２５…ロック孔（ロック部）
３２…キャビティ
３４…リテーナ挿入口
３５…リテーナ
３５Ａ…リブ
３５Ｂ…テーパ状案内面
３５Ｃ…保持部
４０…端子金具
Ｓ（Ｓ１〜Ｓ６）…サブハウジング
【図１】
0005012325.tif 000002
【図２】
0005012325.tif 000003
【図３】
0005012325.tif 000004
【図４】
0005012325.tif 000005
【図５】
0005012325.tif 000006
【図６】
0005012325.tif 000007
【図７】
0005012325.tif 000008
【図８】
0005012325.tif 000009
【図９】
0005012325.tif 000010
【図１０】
0005012325.tif 000011
【図１１】
0005012325.tif 000012
【図１２】
0005012325.tif 000013
【図１３】
0005012325.tif 000014
【図１４】
0005012325.tif 000015
【図１５】
0005012325.tif 000016
【図１６】
0005012325.tif 000017
【図１７】
0005012325.tif 000018
【図１８】
0005012325.tif 000019
【図１９】
0005012325.tif 000020
【図２０】
0005012325.tif 000021
【図２１】
0005012325.tif 000022
【図２２】
0005012325.tif 000023
【図２３】
0005012325.tif 000024
【図２４】
0005012325.tif 000025
【図２５】
0005012325.tif 000026
【図２６】
0005012325.tif 000027